(57)【特許請求の範囲】
【請求項１】
床面に対する第一粘着手段と、被固定物の底面に対する第二粘着手段と、被固定物の垂直面に対する第三粘着手段とを備え、該第二粘着手段は高さ調節自在であり、
前記第一粘着手段は第一水平支持板の下面に取り付け、前記第二粘着手段は第二水平支持板の上面に取り付け、前記第三粘着手段は第三垂直支持板における被固定物の垂直面に対向する面に取り付け、該第二水平支持板は第三垂直支持板に高さ調節自在に取り付け、
前記第一水平支持板は第三垂直支持板に高さ調節自在に取り付け、
前記第三垂直支持板は第一水平支持板と第二水平支持板とに対し着脱自在であり、
前記第三垂直支持板は第一水平支持板用の複数の垂直方向の長穴と第二水平支持板用の複数の垂直方向の長穴とを有し、第一水平支持板は該第一水平支持板の端縁から直角に立ち上がる取付部を備えると共に該取付部には第一水平支持板用の各長穴に対応するねじ穴を形成し、第二水平支持板は該第二水平支持板の端縁から直角に立ち上がる取付部を備えると共に該取付部には第二水平支持板用の各長穴に対応するねじ穴を形成し、各長穴にねじを挿通させると共に該ねじを各ねじ穴に螺合させたことを特徴とする固定具。
【請求項２】
前記第三垂直支持板には棒状体を挿入して前記第二水平支持板を持ち上げるための挿入穴を形成したことを特徴とする請求項１に記載の固定具。
【発明の詳細な説明】
【技術分野】
【０００１】
本発明は、固定具に関するものであり、特に被固定物を床面に固定することにより、地震発生時における当該被固定物の転倒を防止すると共に当該被固定物の盗難を防止するようにした固定具に係るものである。
【０００２】
本出願において「被固定物」とは、冷蔵庫、金庫、家具その他の物であってその底面と床面との間に小さな隙間が存在するものをいう。
【背景技術】
【０００３】
地震発生時における家具の転倒を防止するために、家具を壁面に固定するようにした固定具（以下「従来の固定具」という。）は、特開平１１−７５９７５号公報等により開示されている。
【０００４】
従来の固定具は、家具の上面又は側面に取付片をねじ止め固定し、壁面に固定部をねじ止め固定し、該取付片と固定部とをばねにより連結してなるものである。
【特許文献１】特開平１１−７５９７５号公報
【発明の開示】
【発明が解決しようとする課題】
【０００５】
上記従来の固定具は、下記の理由により、被固定物の固定手段としては使用し難いものである。
【０００６】
（イ）被固定物は金属製のものが多いが、金属製の被固定物の上面又は側面に取付片をねじ止め固定することは困難である。
【０００７】
（ロ）被固定物の上面又は側面に取付片をねじ止め固定したときには、該被固定物の上面又は側面に傷が付き、壁面に固定部をねじ止め固定したときには、該壁面に傷が付くという問題が生ずる。
【０００８】
（ハ）被固定物は、必ずしも壁面に近接した状態で使用されるわけではないため、被固定物を壁面に固定することは適当でない。
【０００９】
このような状況に鑑み、本発明は、被固定物を床面に確実に固定するようにした固定具を提供しようとしてなされたものである。
【課題を解決するための手段】
【００１０】
上記課題を解決するために、本発明は下記の固定具を提供する。
【００１１】
（１）床面に対する第一粘着手段と、被固定物の底面に対する第二粘着手段と、被固定物の垂直面に対する第三粘着手段とを備え、該第二粘着手段は高さ調節自在であり、
前記第一粘着手段は第一水平支持板の下面に取り付け、前記第二粘着手段は第二水平支持板の上面に取り付け、前記第三粘着手段は第三垂直支持板における被固定物の垂直面に対向する面に取り付け、該第二水平支持板は第三垂直支持板に高さ調節自在に取り付け、
前記第一水平支持板は第三垂直支持板に高さ調節自在に取り付け、
前記第三垂直支持板は第一水平支持板と第二水平支持板とに対し着脱自在であり、
前記第三垂直支持板は第一水平支持板用の複数の垂直方向の長穴と第二水平支持板用の複数の垂直方向の長穴とを有し、第一水平支持板は該第一水平支持板の端縁から直角に立ち上がる取付部を備えると共に該取付部には第一水平支持板用の各長穴に対応するねじ穴を形成し、第二水平支持板は該第二水平支持板の端縁から直角に立ち上がる取付部を備えると共に該取付部には第二水平支持板用の各長穴に対応するねじ穴を形成し、各長穴にねじを挿通させると共に該ねじを各ねじ穴に螺合させたことを特徴とする固定具（請求項１）。
なお、本出願における「ねじ」にはボルトも含まれるものとする。
【００１２】
（２）前記第三垂直支持板には棒状体を挿入して前記第二水平支持板を持ち上げるための挿入穴を形成する（請求項２）。
【００１３】
［発明の作用］
［請求項１の発明］
固定具の第一粘着手段は、被固定物が載置されている床面に粘着する。固定具の第二粘着手段は、被固定物の底面に粘着する。固定具の第三粘着手段は、被固定物の垂直面に粘着する。第二粘着手段は被固定物の底面の高さに応じて高さを調節する。
【００１４】
即ち、被固定物における底面と垂直面とが固定具を介して床面に固定される。
【００１５】
各粘着手段はそれぞれ支持板に取り付けられている。第二粘着手段が取り付けられている第二水平支持板は第三垂直支持板に対し高さ調節自在である。
【００１６】
第三垂直支持板は第一水平支持板に対して高さ調節自在であるため、被固定物の垂直面に応じて第三粘着手段の高さを調節することができる。
【００１７】
第三垂直支持板は第一水平支持板と第二水平支持板とに対し着脱自在であるため、後述の如く、第一水平支持板の第一粘着手段を床面に粘着した後、該第三垂直支持板を一旦第一水平支持板と第二水平支持板とから外し、第三粘着手段の表面に取り付けられている剥離紙ないし剥離シートを剥がした後、該第三粘着手段を被固定物の垂直面に粘着させると共に再び第三垂直支持板を第一水平支持板と第二水平支持板とに固定することができる。
【００１８】
第二水平支持板又は第一水平支持板を第三垂直支持板に対して高さ調節を行なう際には、各ねじを緩めた状態で第二水平支持板又は第一水平支持板の高さを調節し、各ねじを再び締付ける。
【００１９】
第三垂直支持板を第一水平支持板と第二水平支持板とから取り外す際には、各ねじを取り外す。第三垂直支持板を第一水平支持板と第二水平支持板とに再び取り付ける際には、各ねじを締付ける。
【００２０】
［請求項２の発明］
第一水平支持板の第一粘着手段を床面に粘着させると共に第三粘着手段を被固定物の垂直面に粘着させた状態で第二水平支持板の第二粘着手段を被固定物の底面に粘着させる際には、第三垂直支持板の挿入穴に棒状体を挿入し、該棒状体をテコの如く用いて該第二水平支持板を持ち上げる。
【発明の効果】
【００２１】
［請求項１の発明］
被固定物における底面と垂直面とが固定具を介して床面に確実に固定される。従って、地震発生時における当該被固定物の転倒が確実に防止されると共に当該被固定物の盗難が防止される。第二粘着手段は高さ調節自在であるため、被固定物の底面と床面との間の隙間が小さいときでも、固定具を支障なく使用することができる。
【００２２】
第三垂直支持板は第一水平支持板に対して高さ調節自在であるため、被固定物の垂直面に応じて第三粘着手段の高さを調節することができる。
【００２３】
第三垂直支持板は第一水平支持板と第二水平支持板とに対し着脱自在であるため、第一水平支持板の第一粘着手段を床面に粘着した後、該第三垂直支持板を一旦第一水平支持板と第二水平支持板とから外し、第三粘着手段の表面に取り付けられている剥離紙ないし剥離シートを剥がした後、該第三粘着手段を被固定物の垂直面に粘着させると共に再び第三垂直支持板を第一水平支持板と第二水平支持板とに固定することができる。
【００２４】

第三垂直支持板に対する第二水平支持板又は第一水平支持板の高さ調節、及び第一水平支持板と第二水平支持板とに対する第三垂直支持板の着脱は、ねじにより容易かつ確実に行なうことができる。
【００２５】
［請求項２の発明］
第一水平支持板の第一粘着手段を床面に粘着させると共に第三粘着手段を被固定物の垂直面に粘着させた状態で第二水平支持板の第二粘着手段を被固定物の底面に粘着させる際には、第三垂直支持板の挿入穴に棒状体を挿入し、該棒状体をテコの如く用いて該第二水平支持板を容易に持ち上げることができる。
【発明を実施するための最良の形態】
【００２６】
本発明の固定具は、床面１に対する第一粘着手段３と、被固定物５の底面７に対する第二粘着手段９と、被固定物５の垂直面１１に対する第三粘着手段１３とを備えている。
【００２７】
被固定物５の垂直面１１は、例えば、被固定物５の前面、側面、後面等である。
【００２８】
第二粘着手段９は高さ調節自在である。
【００２９】
図示の事例においては、第一粘着手段３は第一水平支持板１５の下面に取り付け、第二粘着手段９は第二水平支持板１７の上面に取り付け、第三粘着手段１３は第三垂直支持板１９における被固定物５の垂直面１１に対向する面に取り付ける。
【００３０】
第二水平支持板１７は第三垂直支持板１９に高さ調節自在に取り付ける。
【００３１】
第一水平支持板１５は第三垂直支持板１９に高さ調節自在に取り付ける。
【００３２】
第三垂直支持板１９は第一水平支持板１５と第二水平支持板１７とに対し着脱自在である。
【００３３】
以下、本発明について更に具体的に説明する。
【００３４】
第三垂直支持板１９は第一水平支持板１５用の複数の垂直方向の長穴２１と第二水平支持板１７用の複数の垂直方向の長穴２３とを有する。
【００３５】
第一水平支持板１５は該第一水平支持板１５の端縁１５ａから直角に立ち上がる取付部２５を備えると共に該取付部２５には第一水平支持板１５用の各長穴２１に対応するねじ穴２７を形成する。
【００３６】
第二水平支持板１７は該第二水平支持板１７の端縁１７ａから直角に立ち上がる取付部２９を備えると共に該取付部２９には第二水平支持板１７用の各長穴２３に対応するねじ穴３１を形成する。
【００３７】
各長穴２１、２３にねじ３３、３５を挿通させると共に該ねじ３３、３５を各ねじ穴２７、３１に螺合させる。
【００３８】
第三垂直支持板１９にはスクリュードライバー等の棒状体（図示せず。）を挿入して第二水平支持板１７を持ち上げるための挿入穴３７を形成する。
【００３９】
第一粘着手段３の表面と、第二粘着手段９の表面と、第三粘着手段１３の表面とにそれぞれ剥離紙ないし剥離シート３９、４１、４３を取り付ける。
【００４０】
第一粘着手段３と第二粘着手段９と第三粘着手段１３は、それぞれ一例として、粘着性を備えたゲル状の超軟質ウレタンにより形成された板状体とする。
【００４１】
図示の固定具により被固定物５を床面１に固定する手順の一例を下記に示す。
【００４２】
（イ）第一粘着手段３の剥離紙ないし剥離シート３９と第二粘着手段９の剥離紙ないし剥離シート４１とを剥がす。（図７参照。）
【００４３】
（ロ）必要に応じて第二水平支持板１７を下げる。（図７参照。）
【００４４】
（ハ）固定具の第一水平支持板１５と第二水平支持板１７とを被固定物５における底面７の下方に入れ、第一水平支持板１５下面の第一粘着手段３を床面７に粘着させる。（図８参照。）
【００４５】
（ニ）第三垂直支持板１９を一旦第一水平支持板１５と第二水平支持板１７とから外し（図９参照。）、第三粘着手段１３の表面に取り付けられている剥離紙ないし剥離シート４３を剥がした後、該第三粘着手段１３を被固定物５の垂直面１１に粘着させると共に再び第三垂直支持板１９を第一水平支持板１５と第二水平支持板１７とに固定する。（図１０参照。）
【００４６】
（ホ）第三垂直支持板１９の挿入穴３７にスクリュードライバー等の棒状体を挿入し、該棒状体をテコの如く用いて第二水平支持板１７を持ち上げ、第二粘着手段９を被固定物５の底面７に粘着させる。（図１１参照。）
【００４７】
（ヘ）第二水平支持板１７を第三垂直支持板１９に固定する。
【図面の簡単な説明】
【００４８】
【図１】本発明による固定具の一例を示す斜視図である。
【図２】第三垂直支持板の斜視図である。
【図３】同上固定具の側面図である。
【図４】同上固定具の正面図である。
【図５】同上固定具の平面図である・
【図６】同上固定具の断面図である。
【図７】同上固定具の使用手順を示す側面図である。
【図８】同上固定具の使用手順を示す側面図である。
【図９】同上固定具の使用手順を示す側面図である。
【図１０】同上固定具の使用手順を示す側面図である。
【図１１】同上固定具の使用手順を示す側面図である。
【符号の説明】
【００４９】
１  床面
３ 
第一粘着手段
５ 
被固定物
７ 
底面
９ 
第二粘着手段
１１ 
垂直面
１３ 
第三粘着手段
１５  第一水平支持板
１５ａ  端縁
１７  第二水平支持板
１７ａ  端縁
１９ 
第三垂直支持板
２１ 
長穴
２３  長穴
２５  取付部
２７  ねじ穴
２９  取付部
３１  ねじ穴
３３  ねじ
３５  ねじ
３７  挿入穴
３９
剥離紙ないし剥離シート
４１  剥離紙ないし剥離シート
４３  剥離紙ないし剥離シート
【図１】
0004804844.tif 000002
【図２】
0004804844.tif 000003
【図３】
0004804844.tif 000004
【図４】
0004804844.tif 000005
【図５】
0004804844.tif 000006
【図６】
0004804844.tif 000007
【図７】
0004804844.tif 000008
【図８】
0004804844.tif 000009
【図９】
0004804844.tif 000010
【図１０】
0004804844.tif 000011
【図１１】
0004804844.tif 000012